(57)【要約】【課題】  ＤＶＤ−Ｒ／ＲＷディスクにおける高速度記録再生時にも、ランドプリピットアドレスを検出できるランドプリピットアドレス復調装置を提供する。【解決手段】  ＤＶＤ−Ｒ／ＲＷディスクに記録中にランドプリピットアドレス情報を検出するランドプリピットアドレス復調装置（ＤＭ）において、トラッキングエラー信号（ＴＥ）が記録用マークパワーのレーザの反射光から生成されている間は、ラッキングエラー信号（ＴＥ）を第１の基準電位でミュートして、トラッキングエラー信号（ＴＥ）中のＲＦ残留成分を除去し、ＲＦ残留成分が除去されたトラッキングエラー信号（ＴＥ）を第２の基準電位と比較してランドプリピットアドレス信号を検出する。記録／再生状態信号を用い再生中にも高精度のＬＰＰ信号を検出する。【選択図】  図１６
2006228392.tif 000002
【特許請求の範囲】
【請求項１】
レーザのパワーを第１の強度と第２の強度の間で切り替えてＤＶＤ−Ｒ／ＲＷディスクに照射し、当該第１の強度のレーザで非晶質領域を生成させ、当該第２の強度のレーザで再結晶領域を生成させて情報を記録する光ディスク記録装置に用いられて、前記レーザの反射光からランドプリピットアドレス情報を検出するランドプリピットアドレス復調装置であって、
前記反射光から第１のトラッキングエラー信号を生成する手段と、
前記トラッキングエラー信号の電位より低い第１の基準電位を供給する第１の基準電位手段と、
前記反射光の全和信号を二値化して、前記第１のトラッキングエラー信号が第１の強度のレーザおよび第２の強度のレーザの何れの反射光から生成されているかを示すレーザ強度を表示するパルス信号を生成する手段と、
前記第１のトラッキングエラー信号が第１の強度のレーザの反射光から生成されていると示される間は、当該第１のトラッキングエラー信号を前記第１の基準電位でミュートして当該第１のトラッキングエラー信号中のＲＦ残留成分を除去して第２のトラッキングエラー信号を生成するＲＦ残留成分除去手段と、
前記第２のトラッキングエラー信号の高周波成分を除去して第３のトラッキングエラー信号を生成するローパスフィルタ手段と、
前記第３のトラッキングエラー信号を倍速記録による振幅の低下分だけ増幅して第４のトラッキングエラー信号を生成する可変ゲイン増幅手段と、
前記第３のトラッキングエラー信号のＤＣ成分を前記ＲＦ残留成分除去手段にフィードバックするＤＣ調整手段と、
前記ＤＣ成分と前記第１のトラッキングエラー信号に加算して第５のトラッキングエラー信号を生成する加算手段と、
前記第４のトラッキングエラー信号のピークを保持して第６のトラッキングエラー信号を生成するピーク保持手段と、
前記第６のトラッキングエラー信号に可変オフセットを付加して第７のトラッキングエラー信号を生成する可変オフセット付加手段と、
前記第４のトラッキングエラー信号を前記ピーク保持された第７のトラッキングエラー信号と比較してスペース部のランドプリピットアドレス信号を検出する手段と、
前記第５のトラッキングエラー信号を基準電位と比較してマーク部のランドプリピットアドレス信号を検出する手段と、
前記スペース部のランドプリピットアドレス信号と前記マーク部のランドプリピットアドレス信号とを論理和するランドプリピットアドレス信号検出手段とを備える、ランドプリピットアドレス復調装置。
【請求項２】
前記スペース部のランドプリピットアドレス信号と前記マーク部のランドプリピットアドレス信号とを論理和する際に、前記光ディスクの未記録領域の再生時には、当該スペース部のランドプリピットアドレス信号を無効にする第１の無効化手段をさらに備える、請求項１に記載のランドプリピットアドレス復調装置。
【請求項３】
前記光ディスクの未記録領域の再生時には、前記パルス信号を無効にする第２の無効化手段をさらに備える、請求項２に記載のランドプリピットアドレス復調装置ＤＭ。
【請求項４】
第１の無効化手段は光ディスクの未記録領域の再生状態に応じて、前記第３のトラッキングエラー信号と前記第５のトラッキングエラー信号とを切り替える切替手段を備える、請求項２に記載のランドプリピットアドレス復調装置。
【請求項５】
第１の無効化手段は光ディスクの未記録領域の再生状態に応じて、前記ＤＣ成分の前記ＲＦ残留成分除去手段に対するフィードバックを禁ずるスイッチ手段を備える、請求項２に記載のランドプリピットアドレス復調装置。
【発明の詳細な説明】
【技術分野】
【０００１】
本発明は、ＤＶＤ−Ｒ／ＲＷディスクからの反射光から、ランドプリピットアドレスを検出するランドプリピットアドレス復調装置に関し、さらにＤＶＤ−Ｒ／ＲＷディスクにデータを記録する光ディスク記録装置に用いられるランドプリピットアドレス復調装置に関する。
【背景技術】
【０００２】
情報の記録／再生を行う光ディスクの一つのフォーマットとしてＤＶＤ−Ｒ／ＲＷがある。このＤＶＤ−Ｒ／ＲＷフォーマットの第１の特徴は、ＤＶＤ−ＲＯＭフォーマットとの互換性を高めるために、情報の記録、再生を行う際に、アドレスを特定するために必要なアドレス情報が、情報の記録／再生を行うディスクの案内溝（グルーブとも呼ぶ）の間部（ランドとも呼ぶ）に形成されていることである。このアドレスは、「ランドプリピットアドレス」または「ＬＰＰアドレス」とも称される。ＬＰＰ（Ｌａｎｄ  Ｐｒｅ−Ｐｉｔ）とは、ＤＶＤ−Ｒ／ＲＷ特有のもので、ディスクに記録する際の位置情報を示すため
にウォブルの溝に掘られているアドレスを表す溝を言い、ＬＰＰアドレスとはＬＰＰが表す位置情報を言う。
【０００３】
トラックとは、記録／再生の対象となる情報がマークとして記録される光ディスクの領域（グルーブ）であり、記録トラックの追従時に、光ディスク装置に設けられたトラッキングディテクタは、入射した光を検出して複数の光量信号を生成する。アドレス情報は、複数の光量信号の差をとった差動信号に基づいて検出され、記録／再生された情報は複数の光量信号の和をとった加算信号に基づいて検出される。
【０００４】
ＤＶＤ−Ｒ／ＲＷフォーマットの第２の特徴は、案内溝が一定の周波数で半径方向に揺動されるウォブルが光ディスクに設けられていることである。ウォブルに基づいて得られるウォブル信号は、情報の記録および再生を行うクロックを生成するためのリファレンス信号として利用される。アドレス情報の検出と同様に、ウォブルも、複数の光量信号の差をとった差動信号に基づいて検出される。
【０００５】
光ディスク記録再生装置においては、ＤＶＤ−Ｒ／ＲＷに対する情報の記録は、簡単に言えば、記録用レーザの強度を交互に大と小に変化させてトラックに照射させて行われる。つまり、大強度のレーザを照射して、記録膜を溶融させた後に急冷することで、反射率の低いマークを形成する。そして、次に小強度のレーザを照射して、記録膜を結晶化させて反射率の高いスペースを形成する。このようにして、２つスペースの間に存在するマークによって、ビットがトラック上に形成される。
【０００６】
光学ヘッドに設けられたトラッキングディテクタ（図示せず）は、トラックに沿った方向（トラック方向）に平行な分割線と垂直な分割線によって、４つのトラッキングディテクタに分割されている。換言すれば、光ディスクの円周方向に沿って、４つのトラッキングディテクタＡ、Ｂ、Ｃ、およびＤが存在する。なお、トラッキングディテクタＡおよびＤは、トラックに平行な分割線によって、トラッキングディテクタＢおよびＣと分断されている。４つのトラッキングディテクタＡ、Ｂ、Ｃ、およびＤは、光ヘッドから照射され、光ディスクによって反射されたレーザ光の光量をそれぞれ検出して出力する。
【０００７】
トラッキングディテクタＡ、Ｂ、Ｃ、およびＤのそれぞれからは光量信号Ｔａ、Ｔｂ、Ｔｃ、およびＴｄが出力される。光量信号Ｔａと光量信号Ｔｄの和をＴＥ＋信号とし、光量信号Ｔｂと光量信号Ｔｃの和をＴＥ−信号とする。つまり、トラッキングディテクタＡおよびＢと、トラッキングディテクタＢおよびＣは、トラックに平行な分割線でわけられた２つのトラッキングディテクタＡＤとトラッキングティテクタＢＣと見なすことができる。そしてこの２つのトラッキングディテクタＡＤとトラッキングティテクタＢＣのそれぞれから出力される、ＴＥ＋信号とＴＥ−信号の差を第１のトラッキングエラー信号ＴＥとする。つまり、ＴＥ＝（ＴＥ＋）−（ＴＥ−）と表現される。
【０００８】
次に、図１７、図１８、図１９、図２０、図２１、図２２、および図２３を参照して、従来の光ディスク記録再生装置（特許文献１）で用いられているランドプリピットアドレス復調装置について説明する。図１７に示すように、ランドプリピットアドレス復調装置ＤＭｃは、第１の入力端子Ｔｉ１、第２の入力端子Ｔｉ２、減算器１、比較器５ｃ、および出力端子Ｔｏを含む。第１の入力端子Ｔｉ１および第２の入力端子Ｔｉ２はそれぞれ、上述のトラッキングディテクタＡＤおよびトラッキングディテクタＢＣに接続されて、ＴＥ＋信号およびＴＥ−信号が入力される。
【０００９】
図１８および図１９に、ＴＥ＋信号およびＴＥ−信号をそれぞれ示す。図１８に示すように、ＴＥ＋信号は、その包絡線が正弦波状に変化するＲＦ（Ｒａｄｉｏ  Ｆｒｅｑｕｅｎｃｙ）成分Ｅｒｆと、ＲＦ成分の各頂点にＬＰＰ成分Ｅｌｐｐが位置する。なお、ＲＦ成分の包絡線はウォブル成分Ｅｗｂｌを表している。図１９に示すように、ＴＥ−信号は、基本的にＴＥ＋信号と同様の波形を有するが符号が逆である。マーク部分或いはスペース部分の何れの領域の電圧レベルが高電位側になるかは、用いる光ピックアップの特性によってことなるが、図１８および図１９においては、マーク部分が高電位である。
【００１０】
本来、マークはディスク上に形成されたピット部分を言い、スペースとはピットとピットとの間の領域を言う。しかしながら、本明細書においては、表現の冗長を避けるために、ディスクからの反射光をディテクタで電気信号に変換した後のマーク部分の電圧レベルも「マーク」と呼び、スペース部分の電圧レベルも「スペース」と呼ぶものとする。
【００１１】
減算器１は、第１の入力端子Ｔｉ１および第２の入力端子Ｔｉ２に接続されて、入力されるＴＥ＋信号からＴＥ−信号を減算して、第１のトラッキングエラー信号ＴＥを生成して出力する。
【００１２】
図２０に、第１のトラッキングエラー信号ＴＥの波形を示す。原理上、ＴＥ＋信号とＴＥ−信号との減算により、ＲＦ成分（マークとスペースから構成された信号）を除去しウォブル成分ＥｗｂｌとＬＰＰ成分Ｅｌｐｐが抽出できる。同図において、低周波がウォブル成分Ｅｗｂｌを表し、ウォブル成分Ｅｗｂｌの頂点でのパルスがＬＰＰ成分Ｅｌｐｐを示している。
【００１３】
比較器５ｃの２つの入力ポートの一方は、減算器１に接続され、もう一方の入力ポートは基準電位Ｖｒｅｆに接続されている。つまり、比較器５ｃは、減算器１から入力される第１のトラッキングエラー信号ＴＥに対して、ＬＰＰ二値化レベルＬｌおよびＷＢＬ二値化レベルＬｗとして基準電位Ｖｒｅｆを用いて二値化して、ＬＰＰ二値化信号Ｂｌｐｐ（ｍ）を生成して、出力端子Ｔｏから出力する。
【００１４】
図２１に、第１のトラッキングエラー信号ＴＥを二値化するレベルを調整して得られる種々の信号を示す。同図において、点線Ｌｗは第１のトラッキングエラー信号ＴＥのウォブル信号成分の二値化の閾値として用いられるＷＢＬ二値化レベルを表し、矩形波Ｂｗは得られたＷＢＬ二値化信号Ｂｗを表している。同様に点線Ｌｌは第１のトラッキングエラー信号ＴＥのＬＰＰランドプレピットアドレス信号成分の二値化の閾値として用いられるＬＰＰ二値化レベルＬｌを表し、矩形波ＢｌｐｐはＬＰＰ二値化信号を表している。なお、ＬＰＰ二値化信号ＢｌｐｐはＬＰＰ検出信号であり、ＷＢＬ二値化信号Ｂｗはウォブル検出信号である。
【００１５】
図２０および図２１は、フォトディテクタの中心がディスク溝の中心に位置するオントラック状態での第１のトラッキングエラー信号ＴＥおよび、その二値化の様子を表している。つまり、マーク／スペースの部分の電圧レベルは、ＴＥ＋信号とＴＥ−信号において差はない。ＴＥ＋信号およびＴＥ−信号共に、マーク／スペースの電圧レベル差は大きい。よって、第１のトラッキングエラー信号ＴＥにおいては、マーク／スペースに対応するＲＦ成分ＥｒＦがきれいに除去されて、ＬＰＰ成分Ｅｌｐｐが顕著に認められる。この場合、ウォブル成分Ｅｗｂｌより突出しているＬＰＰ成分Ｅｌｐｐの高さを、オントラックＬＰＰ高Ｈａと呼ぶ。
【００１６】
図２２に、非オントラック状態での第１のトラッキングエラー信号ＴＥを示す。つまり、実際の光ディスク記録再生装置においては、光ピックアップの受光素子感度、光ピックアップとＩＣを結ぶフレキシブル配線のインピーダンスや、ＩＣの入力アンプの素子相対バラツキから生じるゲイン差などによって、ＴＥ＋信号とＴＥ−信号の振幅が不均一になる。結果、ＴＥ＋信号とＴＥ−信号を減算する際に、ＲＦ成分が残留する。同図において、２つの正弦波の間の部分が残留したＲＦ成分を表している。なお、ＲＦ成分の残留成分をＲＦ残留成分Ｒｒｐと呼ぶものとする。
【００１７】
この場合のウォブル成分Ｅｗｂｌのピークより突出しているＬＰＰ成分Ｅｌｐｐの高さは、オントラックＬＰＰ高Ｈａより、ＲＦ残留成分ＲｒｐＲｒＦの分だけ小さくなる。この場合のＬＰＰ成分の高さを非オントラックＬＰＰ高Ｈｂとする。つまり、Ｈａ＞Ｈｂが成立する。このため、図２１に示したように、オントラック時と同様に二値化レベルを定めても、ＬＰＰ二値化信号ＢｐあるいはＷＢＬ二値化信号Ｂｗを正しく検出できない。よって、上述の従来の光ディスク記録再生装置においては、ＲＦ成分ＥｒＦの振幅が等しくなる様にゲイン調整を行い、ＬＰＰの検出率を高めている。
【特許文献１】特開２００２−２１６３６３号公報
【発明の開示】
【発明が解決しようとする課題】
【００１８】
しかし、高倍速記録時では、記録用レーザの単位面積当たりの照射パワーが小さくなる。つまり、高速記録時には、ディスク上の放熱性が良くなるために、低速記録時に生成されるのと同様のマークを形成するには、レーザの照射パワーを大きくする必要がある。一般的には、記録速度が２倍になると、レーザの照射パワーは１．４１倍にする必要があることが知られている。一方、スペースの領域形成は、レーザパワーの変化に対するディスク膜質の変化量が小さいために、高速記録時においてもレーザパワーを増大させる必要がないことも知られている。
【００１９】
このように、標準の記録速度に対して数倍の速さで記録する、一般に倍速記録と言われる高速記録時には、マークを形成するためにレーザパワーを増大させる。結果、ＴＥ＋信号およびＴＥ−信号におけるマーク部からの反射光成分の振幅は大きくなるが、スペース部からの反射光成分の振幅は相対的に小さくなる。このマーク部とスペース部の反射光成分の振幅の変化を相殺するには、回路のダイナミックレンジを考慮して、低倍速時の振幅と同じレベルぐらいまでゲインを下げる必要がある。
【００２０】
結果、図２３に示すように、減算後の第１のトラッキングエラー信号ＴＥにおけるスペース成分に重なるＬＰＰ成分の振幅Ｅｌｐｐ（スペース）も小さくなる。その際、ＲＦ残留成分Ｒｒｐの振幅は変わらないのでスペース成分に重なるＬＰＰ成分Ｅｌｐｐ（スペース）は、埋もれてしまい、検出が困難である。よって、ランドプリピットアドレス復調装置ＤＭｃにおいて、比較器５ｃからは出力されるＬＰＰ二値化信号Ｂｌｐｐは、スペースに対応するＬＰＰ二値化信号Ｂｌｐｐ（ｓ）は殆ど含まれずに、マークに対応するＬＰＰ二値化信号Ｂｌｐｐ（ｍ）のみと言っても過言ではない。
【００２１】
また、光ディスクの未記録領域を再生（以降、「未記録再生」と称す）する時は、ＲＦ信号が無いために全和信号ＡＳが生成されない。それゆえに、ノイズが全和信号ＡＳと誤検出され、誤った信号がＬＰＰとして出力されてしまうという課題がある。
【００２２】
よって、本発明は、ＤＶＤ−Ｒ／ＲＷディスクにおける高速度記録時はもちろん未記録再生録時にも、ランドプリピットアドレスを検出できるランドプリピットアドレス復調装置を提供することを目的とする。
【課題を解決するための手段】
【００２３】
レーザのパワーを第１の強度と第２の強度の間で切り替えてＤＶＤ−Ｒ／ＲＷディスクに照射し、当該第１の強度のレーザで非晶質領域（マーク）を生成させ、当該第２の強度のレーザで再結晶領域を生成させて情報を記録する光ディスク記録装置に用いられて、前記レーザの反射光からランドプリピットアドレス情報を検出するランドプリピットアドレス復調装置であって、
前記反射光から第１のトラッキングエラー信号を生成する手段と、
前記トラッキングエラー信号の電位より低い第１の基準電位を供給する第１の基準電位手段と、
前記反射光の全和信号を二値化して、前記第１のトラッキングエラー信号が第１の強度のレーザおよび第２の強度のレーザの何れの反射光から生成されているかを示すレーザ強度を表示するパルス信号を生成する手段と、
前記第１のトラッキングエラー信号が第１の強度のレーザの反射光から生成されていると示される間は、当該第１のトラッキングエラー信号を前記第１の基準電位でミュートして当該第１のトラッキングエラー信号中のＲＦ残留成分を除去して第２のトラッキングエラー信号を生成するＲＦ残留成分除去手段と、
前記第２のトラッキングエラー信号の高周波成分を除去して第３のトラッキングエラー信号を生成するローパスフィルタ手段と、
前記第３のトラッキングエラー信号を倍速記録による振幅の低下分だけ増幅して第４のトラッキングエラー信号を生成する可変ゲイン増幅手段と、
前記第３のトラッキングエラー信号のＤＣ成分を前記ＲＦ残留成分除去手段にフィードバックするＤＣ調整手段と、
前記ＤＣ成分と前記第１のトラッキングエラー信号に加算して第５のトラッキングエラー信号を生成する加算手段と、
前記第４のトラッキングエラー信号のピークを保持して第６のトラッキングエラー信号を生成するピーク保持手段と、
前記第６のトラッキングエラー信号に可変オフセットを付加して第７のトラッキングエラー信号を生成する可変オフセット付加手段と、
前記第４のトラッキングエラー信号を前記ピーク保持された第７のトラッキングエラー信号と比較してスペース部のランドプリピットアドレス信号を検出する手段と、
前記第５のトラッキングエラー信号を基準電位と比較してマーク部のランドプリピットアドレス信号を検出する手段と、
前記スペース部のランドプリピットアドレス信号と前記マーク部のランドプリピットアドレス信号とを論理和するランドプリピットアドレス信号検出手段（２３）とを備える、ランドプリピットアドレス復調装置。
【発明の効果】
【００２４】
本発明に係るランドプリピットアドレス復調装置においては、通常の記録速度の数倍の高速度でＤＶＤ−Ｒ／ＲＷディスクに記録する際には勿論、再生時特に未記録領域においてもランドプリピットアドレスが検出できる。
【発明を実施するための最良の形態】
【００２５】
なお、本発明に係るランドプリピットアドレス復調装置ＤＭ１は、上述の如く構成されて動作する従来の光ディスク記録再生装置に組み込まれて使用される。よって、特に必要で無い限り光ディスク記録再生装置に関する説明は省いて、本発明に係るランドプリピットアドレス復調装置ＤＭに固有の特徴のみを重点的に説明する。
【００２６】
（第１の実施形態）
図１に示すように、本実施形態に係る、ランドプリピットアドレス復調装置ＤＭ１は、第１の入力端子Ｔｉ１、第２の入力端子Ｔｉ２、第３の入力端子Ｔｉ３、減算器１、第１の切替器３、第１の比較器５、および出力端子Ｔｏを含む。第１の入力端子Ｔｉ１および第２の入力端子Ｔｉ２はそれぞれ、上述のトラッキングディテクタＡＤおよびトラッキングディテクタＢＣに接続されて、ＴＥ＋信号およびＴＥ−信号が入力される。
【００２７】
減算器１は、第１の入力端子Ｔｉ１および第２の入力端子Ｔｉ２に接続されて、入力されるＴＥ＋信号からＴＥ−信号を減算して、第１のトラッキングエラー信号ＴＥを生成して出力する。
【００２８】
第３の入力端子Ｔｉ３には、光ディスク記録再生装置において、ディスク上のマークおよびスペースのそれぞれに対応して、記録レーザパワーの切り替えタイミングを制御している第１のスイッチ制御信号Ｓｗ１が入力される。第１のスイッチ制御信号Ｓｗ１は、例えば、マーク部を照射する際にはハイレベルとなり、スペース部を照射する際にはローレベルとなる二値の値を有する信号である。
【００２９】
第１の切替器３は、２つの入力ポートを有し、一方の入力ポートは減算器１に接続されて、第１のトラッキングエラー信号ＴＥが入力される。第１の切替器３の他方の入力ポートには、第１の基準電位Ｖｒｅｆ１が印加されている。第１の切替器３は、さらに第３の入力端子Ｔｉ３に接続されて第１のスイッチ制御信号Ｓｗ１が入力される。
【００３０】
第１の切替器３は、第１のスイッチ制御信号Ｓｗ１に基づいて、２つの入力ポートに入力される第１のトラッキングエラー信号ＴＥと第１の基準電位Ｖｒｅｆ１の何れかを選択して出力する。具体的には、第１のスイッチ制御信号Ｓｗ１がハイレベル、つまりマーク部への照射タイミングを示している時には、第１の切替器３は第１の基準電位Ｖｒｅｆ１を出力する。そして、第１のスイッチ制御信号Ｓｗ１がローレベル、つまりスペース部への照射タイミングを示している時は、第１の切替器３は、第１のトラッキングエラー信号ＴＥを出力する。なお、第１の基準電位Ｖｒｅｆ１は、高速記録によるマーク部への記録パワーの増加分をキャンセルできる大きさに設定されている。つまり、マーク部からの第１のトラッキングエラー信号ＴＥをミュートする機能を有している。この意味において、第１の切替器３からの出力信号を第１のミュートトラッキングエラー信号ＴＥａと呼ぶ。
【００３１】
第１の比較器５の２つの入力ポートの一方は、第１の切替器３に接続され、もう一方の入力ポートは第２の基準電位Ｖｒｅｆ２に接続されている。つまり、第１の比較器５は、第１の切替器３から入力される第１のトラッキングエラー信号ＴＥに対して、図２１を参照して説明したＬＰＰ二値化レベルＬｌおよびＷＢＬ二値化レベルＬｗとして第２の基準電位Ｖｒｅｆ２を用いて二値化して、スペース部のＬＰＰ二値化信号Ｂｌｐｐ（ｓ）を生成して、出力端子Ｔｏから出力する。
【００３２】
本実施形態に係るランドプリピットアドレス復調装置ＤＭ１は、第１のスイッチ制御信号Ｓｗ１に基づいて、マーク部よりの第１のトラッキングエラー信号ＴＥをミュートしている。これは、ＤＶＤ−Ｒ／ＲＷディスクを含めて光ディスク記録再生装置の製造品質が高度に満足されている場合に非常に有効である。より詳細にいえば、ランドプリピットアドレス復調装置ＤＭ１は、スイッチ制御信号Ｓｗを生成している回路から光ピックアップを経由してＲＦ残留成分Ｒｒｐを除去する回路までに遅延がない光ディスク記録再生装置に用いると有効である。このような場合は、第１のトラッキングエラー信号ＴＥが、マーク部或いはスペース部からの反射光に対応しているかを検出する手段を新たに設ける必要がなく、構成も簡単で、コストの面でも有利である。なお、遅延がある場合には、初期遅延を学習するように構成すれば良い。
【００３３】
（第２の実施形態）
図２に示すように、本実施形態に係る、ランドプリピットアドレス復調装置ＤＭ２は、図１に示したランドプリピットアドレス復調装置ＤＭ１において、第３の入力端子Ｔｉ３と第１の切替器３との間に二値化器７が追加されている。そして、第３の入力端子Ｔｉ３には、第１のスイッチ制御信号Ｓｗ１の代わりに、４つのトラッキングティテクタＡ、Ｂ、Ｃ、およびＤからの全て出力である全和信号ＡＳが入力される。つまり、本実施形態においては、光ピックアップとディスクの経由してきた反射信号である全和信号ＡＳを二値化器７によって、マーク部からの反射信号である場合にはハイレベル、スペース部からの反射信号である場合にはローレベルの第２のスイッチ制御信号Ｓｗ２に変換する。
【００３４】
本実施形態に係るランドプリピットアドレス復調装置ＤＭ２は、全和信号ＡＳを二値化した第２のスイッチ制御信号Ｓｗ２に基づいて、マーク部よりの第１のトラッキングエラー信号ＴＥをミュートしている。これは、光ディスク記録再生装置のＩＣ回路内部に遅延が無く、全和信号ＡＳが生成されている場合に非常に有効である。
【００３５】
つまり、上述のランドプリピットアドレス復調装置ＤＭ１においては、光ディスク記録再生装置に遅延がある場合には、初期遅延を学習する必要がある。しかし、本実施形態においては、ＩＣの内部で全和信号ＡＳを生成すると、そのような初期遅延の学習は不要である。つまり、マーク部およびスペース部の判断を全和信号ＡＳに基づくことによって、ディスクの製造バラツキや光ピックアップの製造バラツキを吸収できる。さらに、マークとスペースを生成している回路から光ピックアップを経由してＲＦ残留成分を除去する回路までの遅延に依存しない。
【００３６】
なお、第１の切替器３は、第２のスイッチ制御信号Ｓｗ２に基づいて、第１のトラッキングエラー信号ＴＥを第１の基準電位Ｖｒｅｆ１でミュートして第２のミュートトラッキングエラー信号ＴＥｂを出力する。なお、第２のミュートトラッキングエラー信号ＴＥｂは、上述の第１のミュートトラッキングエラー信号ＴＥａと基本的に同じ信号であるが、ミュートのタイミング信号が異なるので、第１のミュートトラッキングエラー信号ＴＥａとは区別している。
【００３７】
（第３の実施形態）
図３に示すように、本実施形態に係る、ランドプリピットアドレス復調装置ＤＭ３は、図２に示したランドプリピットアドレス復調装置ＤＭ２において、二値化器７が遅延器９と交換されている。そして、第３の入力端子Ｔｉ３には、全和信号ＡＳの代わりに、ランドプリピットアドレス復調装置ＤＭ１における第１のスイッチ制御信号Ｓｗ１が入力される。遅延器９は、マークとスペースの切替タイミングと、実際にトラッキングディテクタで検出されるマーク部およびスペース部からの反射信号との時間差Ｄｔだけ第１のスイッチ制御信号Ｓｗ１を遅延させて、第３のスイッチ制御信号Ｓｗ３として出力する。第１の切替器３は、第３のスイッチ制御信号Ｓｗ３に基づいて、マーク部からの反射信号である第１のトラッキングエラー信号ＴＥを第１の基準電位Ｖｒｅｆ１でミュートして、第３のミュートトラッキングエラー信号ＴＥｃを出力する。時間差Ｄｔは、予め、実験等の適切な手段で求めておけば良い。
【００３８】
ランドプリピットアドレス復調装置ＤＭ３は、第１のトラッキングエラー信号ＴＥと第１のスイッチ制御信号Ｓｗ１との時間差Ｄｔが無視できない光ディスクの倍速記録時に有効である。つまり、予め異なる記録速度毎に、第１のトラッキングエラー信号ＴＥと第１のスイッチ制御信号Ｓｗ１との時間差Ｄｔを求めておき、記録速度に応じて適正に補正された第３のスイッチ制御信号Ｓｗ３に基づいて、第１のトラッキングエラー信号ＴＥをミュートすることによって、ＬＰＰ二値化信号Ｂｌｐｐ（ｓ）を正しく検出できる。なお、第３のミュートトラッキングエラー信号ＴＥｃは、上述の第１のミュートトラッキングエラー信号ＴＥａおよび第２のミュートトラッキングエラー信号ＴＥｂと基本的に同じ信号であるが、ミュートのタイミング信号が異なるので、第１のミュートトラッキングエラー信号ＴＥａおよび第２のミュートトラッキングエラー信号ＴＥｂとは区別している。
【００３９】
（第４の実施形態）
図４に示すように、本実施形態に係るランドプリピットアドレス復調装置ＤＭ４は、図３に示したランドプリピットアドレス復調装置ＤＭ３において、第１の切替器３と第１の比較器５との間にローパスフィルタ（ＬＰＦ）１１が追加されている。ローパスフィルタ１１によって、第１の切替器３から出力されるＲＦ残留成分が除去された第３のミュートトラッキングエラー信号ＴＥｃから、第１の切替器３によって付加されてしまうスイッチノイズを取り除いて、第４のミュートトラッキングエラー信号ＴＥｄとして出力する。第１の比較器５では、このスイッチノイズが取り除かれた第４のミュートトラッキングエラー信号ＴＥｄを第２の基準電位Ｖｒｅｆ２で二値化して、ＬＰＰ二値化信号Ｂｌｐｐ（ｓ）をより精度よく検出できる。
【００４０】
ランドプリピットアドレス復調装置ＤＭ４は、スイッチタイミングがずれて、マーク部の消し残りをＬＰＰ二値化信号Ｂｌｐｐとして誤検出してしまう場合や、ローパスフィルタでの電圧オフセットが無いような場合に、顕著な効果を発揮する。つまり、ランドプリピットアドレス復調装置ＤＭ４にいては、ＬＰＰ成分Ｅｌｐｐからより高周波成分のノイズを除去できるので、記録速度（倍速）に応じてカットオフ周波数を変化させることにより、高倍速記録にも対応できる。
【００４１】
（第５の実施形態）
図５に示すように、本実施形態に係るランドプリピットアドレス復調装置ＤＭ５は、図４に示したランドプリピットアドレス復調装置ＤＭ４において、ローパスフィルタ１１と第１の比較器５との間に可変ゲインアンプ（ＶＧＡ）１３が追加されている。つまり、ローパスフィルタ１１において、スイッチノイズが除去された第４のミュートトラッキングエラー信号ＴＥｄを、可変ゲインアンプ１３によって任意のゲインで増幅して、第５のミュートトラッキングエラー信号ＴＥｅとして出力する。つまり、記録速度が高倍速になるに従って、第１のトラッキングエラー信号ＴＥの振幅が小さくなるため、倍速度に応じたゲイン設定を予め設定しておいて、可変ゲインアンプ１３に適用する。そして、第５のミュートトラッキングエラー信号ＴＥｅは、可変ゲインアンプ１３によって、高速記録による振幅差が吸収されているので、第１の比較器５に於いてＬＰＰ二値化信号Ｂｌｐｐ（ｓ）をより高精度に検出できる。
【００４２】
ランドプリピットアドレス復調装置ＤＭ５は、可変ゲインアンプ１３までのオフセット電圧がないことを条件とする。この場合は、高倍速記録時のＬＰＰ二値化信号Ｂｌｐｐ（ｓ）の検出率が向上すると共に、倍速度が変わっても第１の比較器５の第２の基準電位Ｖｒｅｆ２のレベル調整が不要である。
【００４３】
（第６の実施形態）
図６に示すように、本実施形態に係るランドプリピットアドレス復調装置ＤＭ６は、図５に示したランドプリピットアドレス復調装置ＤＭ５において、減算器１と第１の切替器３の間に加算器１４を追加すると共に、ローパスフィルタ１１からの出力のうちのＤＣ成分を加算器１４に戻すＤＣ成分調整器１５が追加されている。つまり、ＤＣ成分調整器１５は、スイッチノイズが取り除かれた第１のミュートトラッキングエラー信号ＴＥａのＤＣ成分Ｅｄｃを、ＲＦ残留成分を除去する第１の切替器３の上流にフィードバックしている。
【００４４】
結果、第１の比較器５の＋ポートに入力される信号のＤＣ成分が第２の基準電位Ｖｒｅｆ２と等しくなる。そのために、第２の基準電位Ｖｒｅｆ２から作られるコンパレータの基準入力（−）の回路オフセット電圧調整が不要になり回路の簡略化ができる。なお、第１の切替器３、ローパスフィルタ１１、および可変ゲインアンプ１３からの出力は、それぞれ、上述の第１のミュートトラッキングエラー信号ＴＥａ、第４のミュートトラッキングエラー信号ＴＥｄ、および第５のミュートトラッキングエラー信号ＴＥｅと基本的に同じであるが、第４のミュートトラッキングエラー信号ＴＥｄのＤＣ成分がフィードバックされている点が異なる。よって、第１の切替器３、ローパスフィルタ１１、および可変ゲインアンプ１３からの出力を第１のミュートトラッキングエラー信号ＴＥａ’、第４のミュートトラッキングエラー信号ＴＥｄ’、および第５のミュートトラッキングエラー信号ＴＥｅ’と識別する。
【００４５】
このように、ランドプリピットアドレス復調装置ＤＭ６においては、第１の比較器５の２つの入力ポートのそれぞれに入力される基準電位Ｖｒｅｆの基準を等しくできるので、第１のトラッキングエラー信号ＴＥ中に、ウォブル成分Ｅｗｂｌが無い場合は、ローパスフィルタ１１や可変ゲインアンプ１３の回路オフセット電圧がある場合にも、第１の比較器５の基準の回路オフセット電圧の調整が不要である。なお、本実施形態においては、ローパスフィルタ１１からの出力のＤＣ成分を第１の切替器３の上流に戻しているが、可変ゲインアンプ１３からの出力を戻しても同様以上の効果がある。
【００４６】
（第７の実施形態）
図７に示すように、本実施形態に係るランドプリピットアドレス復調装置ＤＭ７は、図６に示したランドプリピットアドレス復調装置ＤＭ６において、第１の比較器５の第２の基準電位Ｖｒｅｆ２が、ピークホールド器１７およびオフセット付加回路１８に交換されている。ピークホールド器１７は、可変ゲインアンプ１３からの出力される第４のミュートトラッキングエラー信号ＴＥｄ’をピークホールドして第６のミュートトラッキングエラー信号ＴＥｆとして出力する。オフセット付加回路１９は、第６のミュートトラッキングエラー信号ＴＥｆに所定のオフセットを付加して、第７のミュートトラッキングエラー信号ＴＥｇとして出力する。つまり、ウォブル信号をピーク検波したレベルを基準にスライスすることにより、ウォブル信号自身をスライスして誤検出することが無くなる。結果、ＬＰＰ二値化信号Ｂｌｐｐ（ｓ）をより精度高く検出できる。
【００４７】
ランドプリピットアドレス復調装置ＤＭ７においては、第１の比較器５の基準をウォブルの蛇行に追従させ、ウォブル信号自身をスライスして誤検出することがない。よって、ランドプリピットアドレス復調装置ＤＭ７は、倍速性能が限定された記録装置において顕著な効果を奏する。つまり、倍速記録によって、ウォブル信号の振幅が変化する場合にも、ＬＰＰ二値化信号Ｂｌｐｐ（ｓ）を正しく検出ができると共に、倍速度に応じたドループ電流設定をもつことにより高倍速度にも対応できる。
【００４８】
（第８の実施形態）
図８に示すように、本実施形態に係るランドプリピットアドレス復調装置ＤＭ８は、図７に示したランドプリピットアドレス復調装置ＤＭ７において、オフセット付加回路１８が可変オフセット付加回路１９に交換されている。可変オフセット付加回路１９は、ピークホールド器１７からされる第６のミュートトラッキングエラー信号ＴＥｆに倍速度記録時のＬｐｐ振幅の電圧レベル差を付加して第８のミュートトラッキングエラー信号ＴＥｈとして出力する。ランドプリピットアドレス復調装置ＤＭ８は、異なる倍速度毎のＬｐｐ振幅の電圧レベル差が可変オフセット付加回路１９の処理にて吸収可能な範囲にある場合に、顕著な効果を奏する。
【００４９】
（第９の実施形態）
図９に示すように、本実施形態に係るランドプリピットアドレス復調装置ＤＭ９は、図８に示したランドプリピットアドレス復調装置ＤＭ８において、第１の比較器５と出力端子Ｔｏの間に、ＯＲ回路２３が追加されて、同ＯＲ回路２３の一方の入力ポートに第１の比較器５の出力が入力される。さらに、加算器１４の出力を＋側の入力とし、第２の基準電位Ｖｒｅｆ２を−側の入力とする第２の比較器５ｃが追加されている。第２の比較器５ｃの出力は、ＯＲ回路２３の他方の入力ポートに接続されている。
【００５０】
第２の比較器５ｃは、図１２に示した従来のランドプリピットアドレス復調装置ＤＭｃの構成要素である比較器５ｃであり、ランドプリピットアドレス復調装置ＤＭ９においても、第１の入力端子Ｔｉ１、第２の入力端子Ｔｉ２、減算器１、および加算器１４とで、実質的にランドプリピットアドレス復調装置ＤＭｃと等価なランドプリピットアドレス復調装置を構成している。そして、ランドプリピットアドレス復調装置ＤＭｃでは、ＬＰＰ二値化信号Ｂｌｐｐ（ｓ）の検出は困難であったが、ＬＰＰ二値化信号Ｂｌｐｐ（ｍ）の検出が行える。
【００５１】
一方、本願発明に係るランドプリピットアドレス復調装置ＤＭ１〜ＤＭ８においては、ＬＰＰ二値化信号Ｂｌｐｐ（ｓ）は精度良く検出できるが、ＬＰＰ二値化信号Ｂｌｐｐ（ｍ）は検出不能である。
【００５２】
よって、第１の比較器５からの出力（ＬＰＰ二値化信号Ｂｌｐｐ（ｓ））と、第２の比較器５ｃからの出力（ＬＰＰ二値化信号Ｂｌｐｐ（ｍ））との論理和をとることで、ＤＶＤ−Ｒ／ＲＷからの反射光に基づいて、高速度記録時の全てのＬＰＰ二値化信号Ｂｌｐｐを検出できる。
【００５３】
つまり、ランドプリピットアドレス復調装置ＤＭ９においては、第２の比較器５ｃとＯＲ回路２３の２つの構成要素を本願発明に係るランドプリピットアドレス復調装置ＤＭ１〜ＤＭ８に追加すると共に、第１の入力端子Ｔｉ１、第２の入力端子Ｔｉ２、減算器１および加算器１４を共有するだけで、従来より高速度記録時に検出の難しかったＬＰＰ二値化信号Ｂｌｐｐ（ｓ）と本願の第１実施形態〜第８実施形態において高速度記録時に検出のできなかったＬＰＰ二値化信号Ｂｌｐｐ（ｍ）の両方を検出できる。
【００５４】
次に図１０および図１１にその波形が例示される種々の信号を参照して、ランドプリピットアドレス復調装置ＤＭ９における信号処理動作について、簡単に説明する。先ず、図１１の第１段目に、第１の入力端子Ｔｉ１および第２の入力端子Ｔｉ２に入力されるＴＥ＋信号およびＴＥ−信号の波形を示す。同波形において、マークレベル、スペースレベル、ＬＰＰ（スペース）およびＬＰＰ（マーク）が見受けられる。なお、上述のように、ＴＥ＋信号とＴＥ−信号は、オントラック状態では、振幅は同一であり、符号は逆の信号である。
【００５５】
次に、図１０の第１段目に、減算器１からの出力される第１のトラッキングエラー信号ＴＥの波形を示す。ＴＥ＋信号とＴＥ−信号との減算の結果、第１のトラッキングエラー信号ＴＥにおいては、マークのＬＰＰ成分Ｅｌｐｐ（ｍ）はＲＦ成分ＥｒＦから大きく突出しているが、スペースのＬＰＰ成分Ｅｌｐｐ（ｓ）はＲＦ成分ＥｒＦに埋もれている。
【００５６】
図１０の第２段目に、遅延器９から出力される第３のスイッチ制御信号Ｓｗ３の波形を示す。同図において、ハイレベル時がマーク部からの反射信号が入力されるタイミングを表している。
【００５７】
図１０の第３段目に、第１の切替器３から出力される第５のミュートトラッキングエラー信号ＴＥｅ’の波形を示す。第３のスイッチ制御信号Ｓｗ３のハイレベルに同期して、第１のミュートトラッキングエラー信号ＴＥａ’のレベルが一定値（第１の基準電位Ｖｒｅｆ１）に置き換えられているのが見て取れる。
【００５８】
図１０の第４段目に、可変ゲインアンプ１３から出力される第５のミュートトラッキングエラー信号ＴＥｅ’の波形を示す。第１の切替器３から出力されたトラッキングエラー信号ＴＥａに比べて、ローパスフィルタ１１によって高周波成分が除去されると共、さらに可変ゲインアンプ１３によって振幅が増大されているのが見て取れる。
【００５９】
図１１の第２段目に、比較器２１に入力される第２のトラッキングエラー信号ＴＥ’と基準電位Ｖｒｅｆの波形が示されている。第２のトラッキングエラー信号ＴＥ’は、ローパスフィルタ１１から出力された第４のミュートトラッキングエラー信号ＴＥｄ’のＤＣ成分が調整された後、第１のトラッキングエラー信号ＴＥに加算されているので、第１のトラッキングエラー信号ＴＥに比べてペデスタルレベルが上がると共に、高周波成分が除去されている。なお、基準電位Ｖｒｅｆは、一定値に設定されている。
【００６０】
図１１の第３段目に、可変ゲインアンプ１３から出力されるトラッキングエラー信号ＴＥｃおよび、ピークホールド器１７およびデジタルアナログ変換器１９を介して出力されるトラッキングエラー信号ＴＥｄの波形が示されている。トラッキングエラー信号ＴＥｃは、トラッキングエラー信号ＴＥｂに比べて増幅されている。
【００６１】
図１１の第４段目に、第２の比較器５ｃの出力であるＬＰＰ二値化信号Ｂｌｐｐ（ｍ）の波形が表示されている。ＬＰＰ（マーク）が検出されている。
【００６２】
図１１の第５段目に、ＯＲ回路２３の出力であるＬＰＰ二値化信号Ｂｐが示されている。第１の比較器５と第２の比較器５ｃの出力のＯＲ演算を行うことで、従来のランドプリピットアドレス復調装置ＤＭおよび本発明のランドプリピットアドレス復調装置ＤＭ９以外では検出できないＬＰＰ二値化信号Ｂｌｐｐ（ｓ）とＬＰＰ二値化信号Ｂｌｐｐ（ｍ）の両方が検出できている。
【００６３】
（第１０の実施形態）
図１２に示すように、本実施形態に係るランドプリピットアドレス復調装置ＤＭ１０は、図９に示したランドプリピットアドレス復調装置ＤＭ９において、遅延器９が、図２に示したランドプリピットアドレス復調装置ＤＭ２における二値化器７に交換されている。つまり、第３の入力端子Ｔｉ３には第１のスイッチ制御信号Ｓｗ１の代わりに全和信号ＡＳが入力される。そして、二値化器７は、第３の入力端子Ｔｉ３を介して入力される全和信号ＡＳを、マーク部からの反射信号である場合にはハイレベル、そしてスペース部からの反射信号である場合にはローレベルの第２のスイッチ制御信号Ｓｗ２に変換する。
【００６４】
第１の切替器３は、ランドプリピットアドレス復調装置ＤＭ９における場合とは異なり、第３のスイッチ制御信号Ｓｗ３ではなく、第２のスイッチ制御信号Ｓｗ２に基づいて、２つの入力ポートに入力される第１のトラッキングエラー信号ＴＥと第１の基準電位Ｖｒｅｆ１の何れかを選択して出力する。具体的には、第１のスイッチ制御信号Ｓｗ１がハイレベル、つまりマーク部への照射タイミングを示している時には、第１の切替器３は第１の基準電位Ｖｒｅｆ１を出力する。そして、第１のスイッチ制御信号Ｓｗ１がローレベル、つまりスペース部への照射タイミングを示している時は、第１の切替器３は、第１のトラッキングエラー信号ＴＥを出力する。つまり、第１の切替器３からは、第１のミュートトラッキングエラー信号ＴＥａ’が出力される。
【００６５】
ローパスフィルタ１１は、第１の切替器３から出力されるＲＦ残留成分が除去された第１のミュートトラッキングエラー信号ＴＥａ’から、第１の切替器３によって付加されてしまうスイッチノイズを取り除いて、第４のミュートトラッキングエラー信号ＴＥｄ’を出力する。
【００６６】
可変ゲインアンプ（ＶＧＡ）１３は、スイッチノイズが除去された第４のミュートトラッキングエラー信号ＴＥｄ’を任意のゲインで増幅して、第５のミュートトラッキングエラー信号ＴＥｅ’を出力する。つまり、記録速度が高倍速になるに従って、第１のトラッキングエラー信号ＴＥの振幅が小さくなるため、倍速度に応じたゲイン設定を予め設定しておいて、可変ゲインアンプ１３に適用する。そして、第５のミュートトラッキングエラー信号ＴＥｅ’は、可変ゲインアンプ１３によって、高速記録による振幅差が吸収されている。
【００６７】
ＤＣ成分調整器１５は、ローパスフィルタ１１からの出力される第４のミュートトラッキングエラー信号ＴＥｄ’のＤＣ成分であるＥｄｃを加算器１４に戻す。加算器１４とＤＣ成分調整器１５は、スイッチノイズが取り除かれた第４のミュートトラッキングエラー信号ＴＥｄ’のＤＣ成分Ｅｄｃを、ＲＦ残留成分を除去する第１の切替器３の上流にフィードバックしている。
【００６８】
第１の比較器５は、可変ゲインアンプ１３から入力されるトラッキングエラー信号ＴＥｅ’に対して、ＬＰＰ二値化レベルＬｌとして可変オフセット付加回路１９を用いて二値化して、スペース部のＬＰＰ二値化信号Ｂｌｐｐ（ｓ）を生成する。
【００６９】
ピークホールド器１７は、可変ゲインアンプ１３からの出力される第４のミュートトラッキングエラー信号ＴＥｄ’をピークホールドして第６のミュートトラッキングエラー信号ＴＥｆを出力する。可変オフセット付加回路１９は、第６のミュートトラッキングエラー信号ＴＥｆに所定のオフセットを付加して、第７のトラッキングエラー信号ＴＥｈを出力する。つまり、ウォブル信号をピーク検波したレベルを基準にスライスすることにより、ウォブル信号自身をスライスして誤検出することが無くなる。そのため、倍速記録によって、ウォブル信号の振幅が変化する場合にも、ＬＰＰ二値化信号Ｂｌｐｐ（ｓ）を正しく検出ができると共に、倍速度に応じたドループ電流設定をもつことにより高倍速度にも対応している。
【００７０】
第２の比較器５ｃは、加算器１４から入力される第１のトラッキングエラー信号ＴＥに対して、ＬＰＰ二値化レベルＬｌとして基準電位Ｖｒｅｆを用いて二値化して、マーク部のＬＰＰ二値化信号Ｂｌｐｐ（ｍ）を生成する。
【００７１】
ＯＲ回路２３は、２つの入力ポートを有し、第２の比較器５ｃの出力Ｂｌｐｐ（ｍ）と第１の比較器５の出力Ｂｌｐｐ（ｓ）が入力されている。これらのＯＲ演算を行うことにより、マーク部およびスペース部のＬＰＰが検出でき、ＬＰＰの検出率を高めている。
【００７２】
（第１１の実施形態）
本実施形態に係るランドプリピットアドレス復調装置について、具体的に述べる前に、先ず、その目的および解決方法に基本的概念について述べる。上述の各実施形態にかかるランドプリピットアドレス復調装置においては、記録中であれば、第１の切替器３は、ＲＦ信号を元に生成される全和信号ＡＳが入力されて、正常に動作する。しかしながら、再生中特に未記録再生タイミングを示している時は、ＲＦ信号が無くなるので、当然、ＲＦ信号を元に生成される全和信号ＡＳも無くなる。そのため、第１の切替器３の動作が不安定になる。
【００７３】
また、全和信号ＡＳにノイズが乗った場合には、予期せぬ間隔で第１の切替器３が第１の基準電位Ｖｒｅｆ１や第２のトラッキングエラー信号ＴＥ’を選択して、期待とは違った誤信号が第１のミュートトラッキングエラー信号ＴＥａ’として出力される。この誤信号（第１のミュートトラッキングエラー信号ＴＥａ）に基づいて、ＬＰＰ二値化信号Ｂｌｐｐ（ｓ）が生成されるために、ＬＰＰも誤って検出されてしまうという問題がある。本実施形態においては、全和信号ＡＳが生成、或いは正常に生成されない未記録再生中においても、ＬＰＰを正しく検出できるランドプリピットアドレス復調装置を提供することを目的としている。
【００７４】
そのために、図１３に示すように、本実施形態に係るランドプリピットアドレス復調装置ＤＭ１１は、図１２に示したランドプリピットアドレス復調装置ＤＭ１０において、第４の入力端子Ｔｉ４とおよび第２の切替器２４が追加されて構成されている。第４の入力端子Ｔｉ４には、光ディスク記録再生装置において、光ディスクに記録中はハイレベルになり、光ディスクから再生中はローレベルになる状態信号ＷＴＧＴが入力される。
【００７５】
第２の切替器２４は２つの入力ポートを備え、入力ポートの一方は第１の比較器５に接続されてＬＰＰ二値化信号Ｂｌｐｐ（ｓ）が入力され、もう一方の入力ポートはローレベルの電位に接続されている。第２の切替器２４は、さらに第４の入力端子Ｔｉ４に接続されて、状態信号ＷＴＧＴが入力される。第２の切替器２４は、状態信号ＷＴＧＴに基づいて、２つの入力ポートに入力されるＬＰＰ二値化信号Ｂｌｐｐ（ｓ）とローレベル電位の何れかを選択して出力する。具体的には、状態信号ＷＴＧＴがハイレベル、つまり記録済み再生及び記録タイミングを表している場合には、第２の切替器２４はＬＰＰ二値化信号Ｂｌｐｐ（ｓ）を出力する。一方、状態信号ＷＴＧＴがローレベル、つまり再生タイミングを示している場合には、第２の切替器２４は、ローレベル電位を出力する。この様にして、光ディスク記録再生装置の記録／再生の状態に応じて、第２の切替器２４から出力される信号をＬＰＰ二値化信号Ｂｌｐｐ（ｓ）’と呼ぶ。
【００７６】
ＯＲ回路２３は、第２の比較器５ｃから入力されるＬＰＰ二値化信号Ｂｌｐｐ（ｍ）と切替器２４から入力されるＬＰＰ二値化信号Ｂｌｐｐ（ｓ）’の論理和演算を行い、ＬＰＰ二値化信号Ｂｌｐｐを出力する。結果、  未記録再生タイミングであっても、マーク部およびスペース部のＬＰＰの検出が可能になり、ＬＰＰ二値化信号Ｂｌｐｐから出力されるＬＰＰ二値化信号Ｂｌｐｐに基づいて、高精度にＬＰＰが検出できる。
【００７７】
上述にように、本実施形態に係るランドプリピットアドレス復調装置ＤＭ１１においては、記録中或いは再生中を表す状態信号ＷＴＧＴに基づいて、ＬＰＰ二値化信号Ｂｌｐｐ（ｓ）とローレベル信号が切り替えられる。この意味において、状態信号ＷＴＧＴを第４のスイッチ制御信号Ｓｗ４と呼ぶ。
【００７８】
（第１２の実施形態）
本実施形態に係るランドプリピットアドレス復調装置について、具体的に述べる前に、先ず、その目的および解決方法に基本的概念について述べる。上述のランドプリピットアドレス復調装置ＤＭ１１においては、記録中は、ＤＣ成分調整器１５が有効に動作するためＴＥ＋信号やＴＥ−信号にＤＣオフセットがある信号が入力された場合でも問題はないが、未記録領域の再生時は、第１の切替器３のスイッチ制御信号にどのような信号が入ってくるかは予想がつかない。そのために、第１の切替器３で、第１の基準電位Ｖｒｅｆ１が選択され続けた場合には、ＤＣフィードバックが正しく動作しないと言う問題がる。本実施形態においては、再生タイミング中には、第１の切替器３の出力には第２のトラッキングエラー信号ＴＥ’を選択することによって、ＤＣフィードバックが正しく動作するようにする。
【００７９】
そのために、図１４に示すように、本実施形態に係るランドプリピットアドレス復調装置ＤＭ１２は、図１３に示したランドプリピットアドレス復調装置ＤＭ１１において、二値化器７と第１の切替器３の間に第３の切替器２５が追加されて構成されている。第３の切替器２５は、２つの入力ポートの一方が二値化器７に接続されて第２のスイッチ制御信号Ｓｗ２が入力され、もう一方の入力ポートはローレベルの電位に接続されている。第３の切替器２５は、さらに第４の入力端子Ｔｉ４に接続されて第４のスイッチ制御信号Ｓｗ４である状態信号ＷＴＧＴが入力される。
【００８０】
第３の切替器２５は、第３の入力端子を介して入力される第４のスイッチ制御信号Ｓｗ４（状態信号ＷＴＧＴ）に基づいて、２つの入力ポートにそれぞれ入力される第２のスイッチ制御信号Ｓｗ２とローレベルの電位の何れかを選択して第５のスイッチ制御信号Ｓｗ５として出力する。具体的には、第４のスイッチ制御信号Ｓｗ４（状態信号ＷＴＧＴ）がハイレベル、つまり記録済み再生及び記録タイミングを示している時には、第３の切替器２５は第２のスイッチ制御信号Ｓｗ２を出力する。そして、第４のスイッチ制御信号Ｓｗ４（状態信号ＷＴＧＴ）がローレベル、つまり未記録再生タイミングを示している時は、切替器２５は、ローレベル電位を出力する。この様に、第２の比較器５ｃには、ＤＣ調整された第１の基準電位Ｖｒｅｆ１に基づく第２のトラッキングエラー信号ＴＥ’が入力されるので、もう一方の入力である基準電位Ｖｒｅｆを記録中と再生中で調整する必要が無いので、高精度にＬＰＰが検出できる。
【００８１】
（第１３の実施形態）
図１５に示すように、本実施形態に係るランドプリピットアドレス復調装置ＤＭ１３は、図１３に示したランドプリピットアドレス復調装置ＤＭ１１において、第４の切替器２６が新たに追加されて構成されている。第４の切替器２６は２つの入力ポートの一方が加算器１４に接続されて第２のトラッキングエラー信号ＴＥ’が入力され、もう一方の入力ポートはＬＰＦ１１に接続されて第４のミュートトラッキングエラー信号ＴＥｄ’が入力されている。第４の切替器２６は、さらに第４の入力端子Ｔｉ４に接続されて第４のスイッチ制御信号Ｓｗ４である状態信号ＷＴＧＴが入力される。
【００８２】
第４の切替器２６は、第４の入力端子Ｔｉ４を介して入力される第４のスイッチ制御信号Ｓｗ４（状態信号ＷＴＧＴ）に基づいて、２つの入力ポートにそれぞれ入力される第２のトラッキングエラー信号ＴＥ’と第４のミュートトラッキングエラー信号ＴＥｄ’の何れかを選択して第９のミュートトラッキングエラー信号ＴＥｉとして出力する。
【００８３】
具体的には、第４のスイッチ制御信号Ｓｗ４（状態信号ＷＴＧＴ）がハイレベル、つまり記録済み再生及び記録タイミングを示している時には、第４の切替器２６は第４のミュートトラッキングエラー信号ＴＥｄ’を出力する。そして、第４のスイッチ制御信号Ｓｗ４（状態信号ＷＴＧＴ）がローレベル、つまり未記録再生タイミングを示している時は、切替器２６は、第２のトラッキングエラー信号ＴＥ’を出力する。
【００８４】
これによりＤＣ成分調整器１５には、記録、未記録再生及び記録済み再生に関わらずにトラッキングエラー信号（第９のミュートトラッキングエラー信号ＴＥｉ）がＤＣ成分調整器１５に入力されるので、常にＤＣ成分Ｅｄｃが生成されて正常なＤＣフィードバックが行われる。したがって、ＶＧＡ１３、ピークホールド器１７、可変オフセット付加器１９、及び第１の比較器５に、マーク部のランドプレピットアドレス信号を通さずに、スペース部のランドプリピットアドレス信号のみを通す事が可能になり、ピークホール器１７での誤検出が無くなり、ランドプリピットアドレス情報を高精度に検出できる。
【００８５】
（第１４の実施形態）
図１６に示すように、本実施形態に係るランドプリピットアドレス復調装置ＤＭ１４は、図１３に示したランドプリピットアドレス復調装置ＤＭ１１において、ＤＣ成分調整器１５と加算器１４との間にスイッチ２７が追加されて構成されている。スイッチ２７は、入力ポートがＤＣ成分調整器１５に接続されてＤＣ成分Ｅｄｃが入力される。なお、第２の入力端子はさらに第４の入力端子Ｔｉ４に接続されて第４のスイッチ制御信号Ｓｗ４である状態信号ＷＴＧＴが入力される。
【００８６】
スイッチ２７は、第４のスイッチ制御信号Ｓｗ４（状態信号ＷＴＧＴ）に基づいて、ＤＣ成分調整器１５と加算器１４との間の回路の開閉して、ＤＣ成分Ｅｄｃの加算器１４への出力を制御する。具体的には、第４のスイッチ制御信号Ｓｗ４（状態信号ＷＴＧＴ）がハイレベル、つまり記録済み再生及び記録タイミングを示している時には、スイッチ２７は回路を閉じてＤＣ成分Ｅｄｃを出力させる。そして、第４のスイッチ制御信号Ｓｗ４（状態信号ＷＴＧＴ）がローレベル、つまり未記録再生タイミングを示している時は、スイッチ２７は回路を開いてＤＣ成分Ｅｄｃを出力させない。このように、スイッチ２７は、ＤＣフィードバックループの開閉を制御する手段として設けられている。
【００８７】
上述のように、スイッチ２７からの出力は、ＤＣ成分調整器１５から入力されるＤＣ成分Ｅｄｃと同じであるが、第４のスイッチ制御信号Ｓｗ４の値によっては、ＤＣ成分Ｅｄｃは加算器１４に対して出力されない点が、ランドプリピットアドレス復調装置ＤＭ１１における場合とことなる。よって、ＤＣ成分調整器１５からの出力をＤＣ成分Ｅｄｃ’と識別する。
【００８８】
つまり、ランドプリピットアドレス復調装置ＤＭ１４において、ＤＣフィードバックは、記録済み再生及び記録タイミング時にはループが閉じられ、未記録再生タイミングではループが開かれる。したがって、未記録再生タイミング時に切替器３からＶｒｅｆ１が常に出力されてもＤＣフィードバックのループが開かれているので、ＤＣ調整フィードバック機能が誤動作を生じることなく、高精度にランドプリピットアドレス情報を検出できる。
【産業上の利用可能性】
【００８９】
ＤＶＤ−Ｒ／ＲＷディスクなどの光ディスク記録再生装置に利用できる。
【図面の簡単な説明】
【００９０】
【図１】本発明の第１の実施形態に係るランドプリピットアドレス復調装置の構成を示すブロック図
【図２】本発明の第２の実施形態に係るランドプリピットアドレス復調装置の構成を示すブロック図
【図３】本発明の第３の実施形態に係るランドプリピットアドレス復調装置の構成を示すブロック図
【図４】本発明の第４の実施形態に係るランドプリピットアドレス復調装置の構成を示すブロック図
【図５】本発明の第５の実施形態に係るランドプリピットアドレス復調装置の構成を示すブロック図
【図６】本発明の第６の実施形態に係るランドプリピットアドレス復調装置の構成を示すブロック図
【図７】本発明の第７の実施形態に係るランドプリピットアドレス復調装置の構成を示すブロック図
【図８】本発明の第８の実施形態に係るランドプリピットアドレス復調装置の構成を示すブロック図
【図９】本発明の第９の実施形態に係るランドプリピットアドレス復調装置の構成を示すブロック図
【図１０】図９に示したランドプリピットアドレス復調装置において観察される種々の信号の波形を表す図
【図１１】図９に示したランドプリピットアドレス復調装置において観察される種々の信号のうちに図１０で表されていない信号の波形を表す図
【図１２】本発明の第１０の実施形態に係るランドプリピットアドレス復調装置の構成を示すブロック図
【図１３】本発明の第１１の実施形態に係るランドプリピットアドレス復調装置の構成を示すブロック図
【図１４】本発明の第１２の実施形態に係るランドプリピットアドレス復調装置の構成を示すブロック図
【図１５】本発明の第１３の実施形態に係るランドプリピットアドレス復調装置の構成を示すブロック図
【図１６】本発明の第１４の実施形態に係るランドプリピットアドレス復調装置の構成を示すブロック図
【図１７】従来のランドプリピットアドレス復調装置の構成を示すブロック図
【図１８】ＴＥ＋信号の波形を示す模式図
【図１９】ＴＥ−信号の波形を示す模式図
【図２０】オントラック状態でのトラッキングエラー信号の波形を示す模式図
【図２１】図１８に示したトラッキングエラー信号を二値化して、ＷＢＬ信号とＬＰＰ信号とを求める方法の説明図
【図２２】非オントラック状態でのトラッキングエラー信号の波形を示す模式図
【図２３】従来のランドプリピットアドレス復調装置において、非オントラック状態でのトラッキングエラー信号に於いてスペースのＬＰＰ成分がＲＦ成分に埋もれて、従来のランドプリピットアドレス復調装置では検出できないことの説明図
【符号の説明】
【００９１】
ＤＭｃ、ＤＭ１、ＤＭ２、ＤＭ３、ＤＭ４、ＤＭ５、ＤＭ６、ＤＭ７、ＤＭ８、ＤＭ９、ＤＭ１０、ＤＭ１１、ＤＭ１２、ＤＭ１３、ＤＭ１４  ランドプリピットアドレス復調装置
Ｔｉ１  第１の入力端子
Ｔｉ２  第２の入力端子
Ｔｉ３  第３の入力端子
Ｔｉ４  第４の入力端子
ＴＥ  トラッキングエラー信号
ＴＥ’  トラッキングエラー信号
ＴＥａ  第１のミュートトラッキングエラー信号
ＴＥｂ  第２のミュートトラッキングエラー信号
ＴＥｃ  第３のミュートトラッキングエラー信号
ＴＥｄ  第４のミュートトラッキングエラー信号
ＴＥｅ  第５のミュートトラッキングエラー信号
ＴＥｆ  第６のミュートトラッキングエラー信号
ＴＥｇ  第７のミュートトラッキングエラー信号
ＴＥｈ  第８のミュートトラッキングエラー信号
ＴＥｉ  第９のミュートトラッキングエラー信号
Ｔｏ  出力端子
１  減算器
３  第１の切替器
９  遅延器
５  第１の比較器
５ｃ  第２の比較器
７  二値化器
１１  ローパスフィルタ
１３  可変ゲインアンプ
１４  加算器
１５  ＤＣ成分調整器
１７  ピークホールド器
１８  オフセット付加器
１９  可変オフセット付加器
２３  ＯＲ回路
２４  第２の切替器
２５  第３の切替器
２６  第４の切替器
２７  スイッチ
【図１】
2006228392.tif 000003
【図２】
2006228392.tif 000004
【図３】
2006228392.tif 000005
【図４】
2006228392.tif 000006
【図５】
2006228392.tif 000007
【図６】
2006228392.tif 000008
【図７】
2006228392.tif 000009
【図８】
2006228392.tif 000010
【図９】
2006228392.tif 000011
【図１０】
2006228392.tif 000012
【図１１】
2006228392.tif 000013
【図１２】
2006228392.tif 000014
【図１３】
2006228392.tif 000015
【図１４】
2006228392.tif 000016
【図１５】
2006228392.tif 000017
【図１６】
2006228392.tif 000018
【図１７】
2006228392.tif 000019
【図１８】
2006228392.tif 000020
【図１９】
2006228392.tif 000021
【図２０】
2006228392.tif 000022
【図２１】
2006228392.tif 000023
【図２２】
2006228392.tif 000024
【図２３】
2006228392.tif 000025